(57)【特許請求の範囲】
【請求項１】
球発射装置へ供給する遊技球を貯留しておく球貯留部と、
この球貯留部の遊技球を前記球発射装置へ供給する球供給流路と前記球貯留部から下方へ遊技球を排出する球抜き流路との流路切換動作を行う流路切換装置と、
この流路切換装置を遊技者の操作により切換動作可能とする切換操作部と、
を備えた遊技機の球貯留皿において、
前記球供給流路側へバネの付勢により切り換えられている通常状態の前記流路切換装置を遊技者による前記切換操作部の操作により前記球抜き流路側へ切り換えて、該球抜き流路側へ切り換えられた前記流路切換装置の流路切換状態の保持をする流路切換状態保持手段を備え、
前記流路切換装置は、前記球供給流路の底板を構成し、遊技者による前記切換操作部の操作により、前記球供給流路側への連通状態と、前記球供給流路側に対し非連通状態で前記球抜き流路側への連通状態とに変換する流路変換部材を備えて、
前記流路切換状態保持手段は、
前記球抜き流路内に一部が臨んだ状態で配設され、その一部に前記球抜き流路側へ通過する遊技球が接触することにより揺動するロック部材と、
前記流路変換部材に形成され、前記球抜き流路側へ通過する遊技球との接触で揺動する前記ロック部材との接触により前記流路変換部材を前記球抜き流路側への連通状態に保持する係止部材と、から構成され、
前記係止部材は、前記流路変換部材の一端をほぼ直角に下方へ折り曲げた形状で一体に形成され、
前記ロック部材は、前記流路変換部材の下方に配設されるとともに、Ｌ字形状のものでＬ字形状の短片部側を前記球抜き流路内に臨む球接触部とし、他方の長片部側の先端部をロック用接触部として、Ｌ字形状の中間角部に設けた支点ピンによって揺動自在に組み付けられ、
前記係止部材の内面が前記ロック用接触部と接触可能とし、
前記切換操作部を操作すると、前記ロック部材が前記球接触部への遊技球の接触により前記支点ピン廻りに揺動して前記長片部側が持ち上げられる状態になって、前記ロック用接触部と前記係止部材の内面が接触することにより、前記流路変換部材が球抜き流路側への連通状態に保持され、前記球貯留部の球抜きが終了し、
前記切換操作部を再度さらに操作することで、前記流路変換部材がスライドして前記ロック部材のロック用接触部と前記係止部材の内面とが離れ、前記ロック部材の長片部側が自重により下がり、前記流路変換部材の位置拘束が解除され、前記流路切換装置が前記通常状態に復帰するようにしたことを特徴とする遊技機の球貯留皿。
【発明の詳細な説明】
【０００１】
【発明の属する技術分野】
本発明は、パチンコ遊技機等の遊技機における所謂上皿としての球貯留皿に関するものである。
【０００２】
【従来の技術】
従来の遊技機、例えば、パチンコ遊技機においては、その遊技機の前面側に、賞球や球貸しにより排出された遊技球を一時的に貯留しておく球貯留皿（上皿）が備えられており、その貯留された遊技球を球送り装置により球発射装置の球発射部へ１個ずつ供給して、遊技を行うようにしていた。
また、遊技機の前面側には、前記球貯留皿（上皿）の下方に位置する球受け皿（下皿）が備えられている。
そして、遊技の終了時や大当り後の出球交換時に、球貯留皿に貯留された貯留球を下方の球受け皿に移すため、球貯留皿に設けられた球抜き操作部を遊技者が操作することによって、球貯留皿から球受け皿へと形成された球抜き流路を開成して、上皿である球貯留皿から下皿としての球受け皿への球抜きを行うようにしていた。
【０００３】
【発明が解決しようとする課題】
以上のように、従来の球貯留皿（上皿）から球受け皿（下皿）への球抜き動作は、遊技者が操作したときのみ行われるものであったため、例えば、大当り終了後の出球交換時などの球貯留皿に貯留された多量の貯留球を球抜きするような場合においては、球抜き操作部の操作を遊技者が球抜き終了まで継続して行わなければならず、このような作業は非常に煩わしいものとなっていた。
さらに、大当り終了後の出球交換時には、球受け皿に球抜きされた遊技球を球受け皿から球箱へ移す動作も行わなければならず、即ち、球受け皿に設けられた球抜き操作部を遊技者が操作して、下皿からの球抜き動作を行わなければならない。
【０００４】
このため、従来は、下皿である球受け皿内の球をすべて球箱へ移すのが終了してから、上皿である球貯留皿の貯留球を前述したように下皿である球受け皿に球抜きして、その球受け皿に球抜きされた球を球箱に再度移す作業をしなければならず、このような作業も時間のかかる非常に煩わしいものとなっていた。
そして、大当り時には通常、多量のセーフ球が発生しているため、一般に、大当り中に賞球排出処理ができなかったセーフ球に対応した分だけ、大当り終了後に賞球排出作動がずれ込む場合が多い。
従って、そのような賞球排出動作が終了するまで、遊技者が前述したような球抜き操作部の操作を継続していなければならず、以上のように時間がかかる非常に煩わしい作業を必要としていた。
【０００５】
そこで、本発明の目的は、パチンコ遊技機等の遊技機において、球抜き操作部の簡単な操作だけで貯留球をすべて球抜きできるようにした球貯留皿を提供することにある。
そして、本発明は、球抜き状態の解除動作も簡単に行え、また、球抜き状態が保持された状態にあることの報知を可能とし、さらに、誤動作等による不本意な球抜き状態の保持を回避できるようにすることも目的としている。
【０００６】
【課題を解決するための手段】
以上の課題を解決すべく請求項１記載の発明は、球発射装置へ供給する遊技球を貯留しておく球貯留部と、
この球貯留部の遊技球を前記球発射装置へ供給する球供給流路と前記球貯留部から下方へ、例えば、球受け皿（下皿）に遊技球を排出する球抜き流路との流路切換動作を行う流路切換装置と、
この流路切換装置を遊技者の操作により切換動作可能とする切換操作部、即ち、球抜き操作部（球抜き操作レバー）と、
を備えた遊技機の球貯留皿（上皿）において、
前記球供給流路側へバネの付勢により切り換えられている通常状態の前記流路切換装置を遊技者による前記切換操作部の操作により前記球抜き流路側へ切り換えて、該球抜き流路側へ切り換えられた前記流路切換装置の流路切換状態の保持を可能とする流路切換状態保持手段を備え、
前記流路切換装置は、前記球供給流路の底板を構成し、遊技者による前記切換操作部の操作により、例えば、クランク部材およびカム部材とリンク部材等を介して連動し、前記球供給流路側への連通状態と、前記球供給流路側に対し非連通状態で前記球抜き流路側への連通状態とに変換する流路変換部材、即ち、スライド部材を備えて、
前記流路切換状態保持手段は、
前記球抜き流路内に一部が臨んだ状態で配設され、その一部に前記球抜き流路側へ通過する遊技球が接触することにより揺動するロック部材と、
前記流路変換部材に形成され、前記球抜き流路側へ通過する遊技球との接触で揺動する前記ロック部材との接触により前記流路変換部材を前記球抜き流路側への連通状態に保持する係止部材と、から構成され、
前記係止部材は、前記流路変換部材の一端をほぼ直角に下方へ折り曲げた形状で一体に形成され、
前記ロック部材は、前記流路変換部材の下方に配設されるとともに、Ｌ字形状のものでＬ字形状の短片部側を前記球抜き流路内に臨む球接触部とし、他方の長片部側の先端部をロック用接触部として、Ｌ字形状の中間角部に設けた支点ピンによって揺動自在に組み付けられ、
前記係止部材の内面が前記ロック用接触部と接触可能とし、
前記切換操作部を操作すると、前記ロック部材が前記球接触部への遊技球の接触により前記支点ピン廻りに揺動して前記長片部側が持ち上げられる状態になって、前記ロック用接触部と前記係止部材の内面が接触することにより、前記流路変換部材が球抜き流路側への連通状態に保持され、前記球貯留部の球抜きが終了し、
前記切換操作部を再度さらに操作することで、前記流路変換部材がスライドして前記ロック部材のロック用接触部と前記係止部材の内面とが離れ、前記ロック部材の長片部側が自重により下がり、前記流路変換部材の位置拘束が解除され、前記流路切換装置が前記通常状態に復帰するようにした構成に特徴がある。
【０００７】
請求項１の発明によれば、球供給流路の底板を構成する流路変換部材（スライド部材）と、球抜き流路内に一部が臨んだ状態で配設されるロック部材と、流路変換部材（スライド部材）に形成された係止部材と、を備えたので、遊技者による切換操作部（球抜き操作レバー）の操作により流路変換部材（スライド部材）を球供給流路側への連通状態から球抜き流路側への連通状態に変換すると、その球抜き流路側へ連続した状態で通過する遊技球がロック部材の一部に揺動して、ロック部材が揺動し、その揺動するロック部材に係止部材が接触して、流路変換部材（スライド部材）が球抜き流路側への連通状態にロックされるので、そのまま従来のような遊技者による操作の継続を必要とせずに、球抜き流路側への流路切換状態に保持される。従って、遊技者が切換操作部（球抜き操作部）の簡単な操作をするだけで、球貯留皿（上皿）の貯留球をすべて、例えば、下方の球受け皿（下皿）等へ球抜きできるようになる。
また、球抜き後は遊技球がなくなることから、ロック部材が遊技球と接触しないので、遊技者が切換操作部（球抜き操作レバー）を球抜き解除操作、例えば、球抜き方向に再度操作すると、ロック部材と係止部材との接触が解除されて、流路変換部材（スライド部材）が元に戻り、球抜き状態が解除される。従って、前述したように球抜き状態のロック状態が確実に行え、しかも、球抜き流路内に遊技球がない状態では球抜き状態のロックができないため、遊技者が切換操作部（球抜き操作レバー）を球抜き解除操作（球抜き方向に再度操作）しておくことで、球抜き後の遊技再開時に不本意（例えば、誤動作による）な球抜き状態となるのを防止できる。
【０００８】
【発明の実施の形態】
以下に、本発明に係る遊技機の球貯留皿の実施形態例を図１から図５に基づいて説明する。
【０００９】
先ず、図１は本発明を適用した一例としてのパチンコ遊技機における球貯留皿（上皿）部分の実施形態例を示すもので、切換操作部（球抜き操作部）、内部のリンク部材、球送り装置、球供給流路、球抜き流路、流路変換部材（スライド部材）およびロック部材等を斜め前方から見た状態で示した要部分解斜視図である。
この図１において、１は球貯留皿の前面体、２は同背面体、３は同中間体、４は背面側カバー体、５は流路切換装置、６は切換操作部（球抜き操作レバー）、１０はリンク部材、１７は流路変換部材（スライド部材）、１８は球供給流路底板、２１はガイドスリット、２２は球供給流路、２３は球抜き流路、２４は球送り装置、２８は流路切換状態保持手段、２９はロック部材である。
【００１０】
即ち、実施形態例において、パチンコ遊技機の所謂上皿をなす球貯留皿部分は、図示のように、前面体１と背面体２との間に中間体３を介設して、背面体２に後方から背面側カバー体４を組み付けてなるもので、前面体１の図示しない部分に公知の如く球貯留部が設けられている。
そして、以上の球貯留皿部分の内部には後述する流路切換装置５等が構成される。
流路切換装置５は、前面体１に組み込まれて外部に露出する切換操作部としての球抜き操作レバー６と、この球抜き操作レバー６の上下方向のスライド操作による回転量を伝達するクランクロッド７と、このクランクロッド７の先端部に備えたカム８と、このカム８の回転により揺動動作するリンク部材１０と、このリンク部材１０の揺動動作によりスライド動作する流路変換部材としてのスライド部材１７と、このスライド部材１７に一体に形成した球供給流路底板１８とから構成される。
【００１１】
なお、球抜き操作レバー６はホルダ９に回転自在に支持されて、ホルダ９が前面体１の内部に固定されている。また、リンク部材１０は前後方向から見てベルクランク形状のものであり、そのベルクランク形状の一端部に前記カム８に当接するカムフォロワ１１を備える。
このリンク部材１０のベルクランク形状の中間角部に支点ボス１２が設けられて、この支点ボス１２において、中間体３にビス止め固定した固定板１３に備えた支点ピン１４が挿通されることで、リンク部材１０が支点ピン１４廻りに揺動自在に支持されている。
また、リンク部材１０のベルクランク形状の他端部には長穴１５が形成されており、以上のリンク部材１０は、引張コイルバネによるリターンバネ１６の引張力によって支点ピン１４廻りを図示時計廻りに回転する方向に常時付勢されている。
【００１２】
さらに、球供給流路底板１８を一体に形成したスライド部材１７は、リンク部材１０の長穴１５に係合する係合ピン１９を備えていて、中間体３に形成したスライド部材ガイドスリット２０に沿って若干斜め横方向へスライド自在に組み込まれている。また、球供給流路底板１８は、背面体２に形成した底板ガイドスリット２１に沿って若干斜め横方向へスライド自在に組み込まれている。
なお、背面側カバー体４には、前記球貯留部に貯留された遊技球を図示しない球発射装置へ遊技球を供給するための球供給流路２２と、また、前記球貯留部に貯留された遊技球をその下方に位置する所謂下皿としての図示しない球受け皿に抜くための球抜き流路２３が形成されている。
そして、球供給流路２２の開口部前面側に球送り装置２４が配設されている。この球送り装置２４は、ソレノイド２５および球送り部材２６から構成されおり、ソレノイド２５の通電ＯＮ／ＯＦＦにより揺動動作する球送り部材２６の先端部は二股部２７に形成されている。
【００１３】
以上の構成による流路切換装置５を備えたパチンコ遊技機の球貯留皿において、球供給流路底板１８を一体に形成したスライド部材１７を、球抜き流路２３側に球供給流路底板１８が位置した状態に保持する流路切換状態保持手段２８を備えている。
即ち、流路切換状態保持手段２８は、斜め後方から見た状態の図２に示すように、スライド部材１７と一体の球供給流路底板１８の下方に配設したロック部材２９と、その上方の球供給流路底板１８に一体に形成した係止部材（係止片部）３０とから構成される。
なお、球抜き流路２３は、背面体２に形成した開口部３１、流路３２、開口部３３、背面側カバー体４に形成した流路３４および開口部３５を経て図示しない前記球受け皿に至るようになっている。
【００１４】
次に、流路切換状態保持手段２８について詳細に説明する。
図２に拡大して示したように、ロック部材２９は前後方向から見てＬ字形状のもので、そのＬ字形状の中間角部に設けた支点ピン３６によって背面体２と背面側カバー体４との間で揺動自在にロック部材２９が組み付けられている。
そして、ロック部材２９は、そのＬ字形状の短片部側を開口部３１の背面側に臨む球接触片部３７として、他方の長片部側の先端部をロック用接触部３８としている。
なお、このロック部材２９は、通常状態である図２に示したように、その自重により長片部側が下がって、球接触片部３７側が開口部３１の背面側に突出した状態にある。
また、このようなロック部材２９の上方に位置する球供給流路底板１８の一端部には、ほぼ直角に下方へ折り曲げた形状の係止部材である係止片部３０が一体に形成されている。この係止片部３０の内面が、前記ロック用接触部３８と接触可能となっている。
【００１５】
以上の構成による流路切換状態保持手段２８を含む流路切換装置５を球貯留皿に備えたパチンコ遊技機によれば、先ず、図１に示すように、球抜き操作レバー６を操作しない通常状態では、図２に示したように、球供給流路底板１８が球供給流路２２側との連通状態に位置していて、この状態が保持されている。
このような球供給流路底板１８の球供給流路２２側への連通状態において、図示しない前記球貯留部の球排出穴から球供給流路底板１８上に遊技球が連続しており、図示しない前記球発射装置と連動する前記球送り装置２４のソレノイド２５の通電ＯＮ／ＯＦＦにより、球送り部材２６が上下方向に揺動動作して、その二股部２７にて球供給流路底板１８上から遊技球Ｂが１個ずつ球供給流路２２に送られて、球発射装置へと供給される。
【００１６】
また、球抜き操作レバー６を遊技者が下方に押し下げ操作すると、クランクロッド７が回転して、その先端部のカム８を介してカムフォロワ１１が上下方向に動作する。
これにより、リンク部材１０が支点ピン１４廻りに揺動し、このリンク部材１０の長穴１５に係合ピン１９が係合するスライド部材１７が、中間体３のスライド部材ガイドスリット２０に沿って斜め横方向へスライド動作すると共に、スライド部材１７に一体の球供給流路底板１８が、背面体２の底板ガイドスリット２１に沿って斜め横方向へスライド動作する。
【００１７】
そして、例えば、少量の球抜きをするために球抜き操作レバー６を下方に途中まで押し下げ操作した状態では、図３に矢印を付して示したように、球供給流路底板１８が球供給流路２２側から離れる若干斜め上に向かって横方向スライドし、球供給流路底板１８上から遊技球Ｂが開口部３１の背面側に落ち、開口部３１から流路３２、開口部３３、流路３４および開口部３５を経て球抜き流路２３を通り、図示しない前記球受け皿に排出される。
ここで、遊技球Ｂが開口部３１の背面側に落ちる際に、その開口部３１の背面側に突出した状態にある球接触片部３７に遊技球Ｂが接触して、ロック部材２９が支点ピン３６廻りに図示反時計廻り方向に揺動して長片部側が持ち上げられた状態になる。
しかし、この場合は、少量の球抜きをするために球抜き操作レバー６を途中まで押し下げ操作した状態であり、球供給流路底板１８に一体の係止片部３０の下端部がロック部材２９の長片部上に載った状態となっている。
【００１８】
次に、球抜き状態をロック状態とするために球抜き操作レバー６をさらに押し下げ操作した状態では、図４に矢印を付して示したように、球供給流路底板１８が球供給流路２２側から離れる若干斜め上に向かってさらに横方向スライドし、前述した球接触片部３７への遊技球Ｂの接触により支点ピン３６廻りに図示反時計廻り方向に揺動したロック部材２９の長片部側がさらに持ち上げられた状態となって、その先端部のロック用接触部３８が係止片部３０の内面に接触状態となる。
このように、係止片部３０を一体に有する球供給流路底板１８の球供給流路２２側へ近付く若干斜め下に向かっての横方向スライドが、ロック部材２９により阻止される。
従って、球供給流路底板１８上から遊技球Ｂが開口部３１の背面側に連続状態で落ちていき、開口部３１から流路３２、開口部３３、流路３４および開口部３５を経て球抜き流路２３を通り、球貯留皿の球貯留部に貯留されたすべての遊技球が図示しない前記球受け皿に排出される。
【００１９】
以上のような球抜きを終えて、その球抜きロック状態を解除するために球抜き操作レバー６を再度さらに押し下げ操作すると、図５に矢印を付して示したように、球供給流路底板１８が球供給流路２２側から離れる若干斜め上に向かって再度さらに横方向スライドして係止片部３０がロック部材２９の長片部先端部のロック用接触部３８から離れる（図示仮想線参照）ので、ロック部材２９は、図示したように、その自重により長片部側が下がった状態となる。
従って、ロック部材２９による位置拘束を解除された球供給流路底板１８が、球供給流路２２側へ近付く若干斜め下に向かって横方向スライドし、図２に示した通常状態に復帰する。
【００２０】
以上の通り、本発明の実施形態例による流路切換状態保持手段２８を備えたパチンコ遊技機の球貯留皿によれば、以下に列挙する諸効果を発揮することができる。
【００２１】
（１）流路切換装置（流路変換部材１７）を球抜き状態に保持可能であるため、簡単な操作だけで球貯留皿（上皿）内の貯留球をすべて球受け皿（下皿）に球抜きすることができる。
（２）大当り終了後の出球交換時において、球貯留皿に貯留された多量の貯留球を球抜きする場合でも、遊技者が切換操作部（球抜き操作レバー６）を操作し続けなくても、１回の操作により球抜きがすべて行われるため、簡単であり、従来のような操作の煩わしさがない。
（３）上皿である球貯留皿の貯留球と下皿としての球受け皿の貯留球の球抜きを同時に行うことができ、従来よりも迅速に出球の交換作業が行えるようになる。
（４）遊技者による切換操作部（球抜き操作レバー６）の再度の操作によって、流路切換部材（スライド部材１７）の球抜き流路側への流路切換状態の保持を解除できるので、球抜き状態の解除動作が簡単に行える。
【００２２】
（５）球抜き流路２３内に遊技球Ｂが連続した状態となって、遊技球Ｂとの干渉によるロック部材２９のスライド部材１７との係止により球抜きロック状態が可能であるため、例えば、誤動作等による不本意な球抜き状態の保持を防止できる。
【００２３】
なお、本発明は以上の実施形態例に限定されるものではなく、球抜き操作部を含む具体的な細部構造等についても適宜に変更可能であることは勿論である。
また、本発明を適用する遊技機としては、パチンコ遊技機のみに限らず、アレンジボール遊技機等の弾球遊技機であってもよい。
【００２４】
【発明の効果】
請求項１の発明によれば、球供給流路の底板を構成する流路変換部材（スライド部材）と、球抜き流路内に一部が臨んだ状態で配設されるロック部材と、流路変換部材（スライド部材）に形成された係止部材と、を備えたので、遊技者による切換操作部（球抜き操作レバー）の操作により流路変換部材（スライド部材）を球供給流路側への連通状態から球抜き流路側への連通状態に変換すると、その球抜き流路側へ連続した状態で通過する遊技球がロック部材の一部に接触して、ロック部材が揺動し、その揺動するロック部材に係止部材が接触して、流路変換部材（スライド部材）が球抜き流路側への連通状態にロックされるので、そのまま従来のような遊技者による操作の継続を必要とせずに、球抜き流路側への流路切換状態に保持される。従って、遊技者が切換操作部（球抜き操作部）の簡単な操作をするだけで、球貯留皿（上皿）の貯留球をすべて、例えば、下方の球受け皿（下皿）等へ球抜きできるようになる。
【００２５】
この結果、例えば、パチンコ遊技機での大当り終了後の出球交換時において、球貯留皿に貯留された多量の貯留球を球抜きする場合でも、遊技者による切換操作部の１回の操作により球抜きがすべて行われるため、簡単であり、従来の如く遊技者が切換操作し続けるような操作の煩わしさを解消することができる。
また、例えば、上皿である球貯留皿の貯留球と下皿としての球受け皿の貯留球の球抜きを同時に行うことができるようになり、従って、従来よりも迅速に出球の交換作業を行うことができるようになる。
また、流路切換状態保持手段を備えた上で、球供給流路の底板をなす流路変換部材と、球抜き流路内に一部が臨むロック部材と、流路変換部材にある係止部材と、を備えているため、遊技者が切換操作部を操作して流路変換部材を球抜き流路側への連通状態に変換することで、球抜き流路側へ連続した状態で通過する遊技球がロック部材の一部に接触して、ロック部材が揺動し、続いて、その揺動するロック部材に係止部材が接触して、流路変換部材を球抜き流路側への連通状態にロックすることができる。
従って、球抜き流路側に通過する遊技球がある限り、その球抜き状態を確実にロック状態にしておくことができる。
そして、球抜き後は遊技球がなくなって、ロック部材が遊技球と接触しなくなるため、遊技者が切換操作部を球抜き解除操作して、流路変換部材を球供給流路側への連通状態に変換動作させることで、球抜き状態を解除することができる。
このように、球抜き流路内に遊技球がない状態では球抜き状態のロックができないため、遊技者が切換操作部を球抜き解除操作しておくことで、球抜き後の遊技再開時に、誤動作等による不本意な球抜き状態となるのを防止することができる。
【図面の簡単な説明】
【図１】  本発明を適用した一例としてのパチンコ遊技機における球貯留皿（上皿）部分の実施形態例を示すもので、切換操作部（球抜き操作部）、内部のリンク部材、球送り装置、球供給流路、球抜き流路、流路変換部材（スライド部材）およびロック部材等を斜め前方から見た状態で示した要部分解斜視図である。
【図２】  図１の流路変換部材（スライド部材）およびロック部材の組込部分の通常状態を斜め後方から見た状態で示す一部破断の拡大斜視図である。
【図３】  図２の流路変換部材（スライド部材）およびロック部材の組込部分の少量球抜き状態を示す同様の拡大斜視図である。
【図４】  図３の少量球抜き状態を経た球抜きロック状態への変化を示す同様の拡大斜視図である。
【図５】  図４の球抜きロック状態からのロック解除動作状態への変化を示す同様の拡大斜視図である。
【符号の説明】
Ｂ  遊技球
１  球貯留皿前面体
５  流路切換装置
６  切換操作部（球抜き操作レバー）
１４  支点ピン
１７  流路変換部材（スライド部材）
１８  球供給流路底板
２２  球供給流路
２３  球抜き流路
２８  流路切換状態保持手段
２９  ロック部材
３０  係止部材（係止片部）
３７  球接触片部
３８  ロック用接触部
【図１】
0003667389.tif 000002
【図２】
0003667389.tif 000003
【図３】
0003667389.tif 000004
【図４】
0003667389.tif 000005
【図５】
0003667389.tif 000006